(57)【要約】【課題】従来、新聞配達する際に用いる配達用順路帳が濡れるのを防ぐ器具や手段は無いため、新聞配達に使用する際に機能的に使え、かつ雨の中でも濡れるのを防ぐことができる新聞配達用帳面保持具を提供する。【解決手段】二輪車で新聞配達する際に用いる順路帳を保持する器具として、所定の大きさの底板２の手前側と左右端部の３箇所に縁板３，３，を３に設け、かつ残りの１箇所の奥端部には取り付け縁板４を設けて箱状を成す受け皿体５を形成し、該受け皿体５の前記取り付け縁板４に、柔軟な透明覆いシート８を開閉自在に取り付けて成る受け皿体５を形成し、該受け皿体５に、別体形成される取り付け支持具１４，１４を組み合わせて成る構成とする。【選択図】図１
2011079507.tif 000002
【特許請求の範囲】
【請求項１】
二輪車で新聞配達する際に用いる順路帳を保持する器具であって、薄くても丈夫な板材で成る所定の大きさの底板の手前側と左右端部に縁板を設け、かつ奥端部には取り付け縁板を設けて箱状を成す受け皿体を形成し、該受け皿体の前記取り付け縁板に、柔軟な透明覆いシートを開閉自在に取り付けて成る受け皿体を形成に、別体形成する取り付け支持具を組み合わせて成る構成を特徴とする二輪車新聞配達用帳面保持具。
【請求項２】
前記する透明覆いシートの開閉側端部に、帯板を取り付けて成る請求項１に記載する二輪車新聞配達用帳面保持具。
【請求項３】
前記する透明覆いシートの帯板と受け皿体の縁板に、一組の面ファスナーを取り付けて成る請求項１又は請求項２に記載する二輪車新聞配達用帳面保持具。
【請求項４】
前記する底板面に透明敷きシートを置き、該透明敷きシートの奥を底板に取り付けて成る請求項１から請求項３のいずれかの項に記載する二輪車新聞配達用帳面保持具。
【発明の詳細な説明】
【技術分野】
【０００１】  本発明は、自転車やオートバイなど二輪車で新聞配達をする際に用いる順路帳を、機能的にして、かつ防水を成す配達用帳面保持具に関する。
【背景技術】
【０００２】  従来より、自転車やオートバイ（以下、バイクと称す）等の二輪車によって新聞配達をする際は、後の荷台の他に前かごにも新聞を入れて、配達の順番に沿ってお客様の氏名と新聞の種類など記した順路帳と言われる帳面を見ながら配達するのが一般的であり、雨の日の配達は前かごに入れた新聞を覆った防水シートの下に順路帳を入れたり、小さな透明袋に入れて透かしながら文字を見て配達している。【０００３】  また、順路帳専用ではないが、前かごに入れた新聞が雨で濡れるのを防ぐ雨よけ装置の技術が提供されている。（例えば、特許文献１参照）
【先行技術文献】
【０００４】
【特許文献１】実開平６−７２７９４
【０００５】
【発明の概要】
【発明が解決しようとする課題】
【０００６】  従来より、自転車やバイク等の二輪車によって新聞配達をする際は、配達する数多くの家の順番に沿って、一区画に氏名と新聞の種類など記した順路帳と言われる帳面を見ながら配達するのが昔も今も一般的である。また、この順路帳は読者名や新聞の種類も変わることもあるので毎月新しく書き変えている。【０００７】  以上のように順路帳は配達時には欠かせない必要なものであるとともに、帳簿管理の基になる大切な帳面であるので、雨の日は濡れたり汚れないように配達員は個々に工夫して配達に使用している。【０００８】  次に実開平６−７２７９４に開示する技術は、新聞配達時における前かごに入れた新聞を雨の日でも濡れないための自転車の荷かご及びその雨よけ装置であるので、前かごに入れた新聞の出し入れが容易で、かつ雨で濡れるのを防ぐ幌様を成す形状の雨よけ装置の技術である。【０００９】  しかし、これは前かごに入れた新聞を雨から守るには防水効果があるが、仮にこの雨よけ装置の中に新聞とともに順路帳を入れると濡れるのを防げるが、配達時にその都度取り出して見るのはかなり面倒である。また、うっかりすると新聞取り出しの際に順路帳も一緒に跳び出して落としたり紛失する恐れもあるので実用には無理である。さらに順路帳専用の防水を兼ねた機能的な帳面保持具などは現在まで全く提供されてはいなかった。
【課題を解決するための手段】
【００１０】  本発明は、前記するような不便や欠点を解消し、かつ配達中でも使いやすく、雨の日でも順路帳を濡らさずに機能的に使える器具とするために、請求項１においては、所定の大きさの底板の手前側と左右端部に縁板を設け、かつ奥端部には取り付け縁板を設けて箱状を成す受け皿体を形成し、該受け皿体の前記取り付け縁板に、柔軟な透明覆いシートを開閉自在に取り付けて成る受け皿体に、別体形成される取り付け支持具を組み合わせることで、配達時に使用する順路帳を手に持つことなく、かつ雨の日でも濡らしたり汚さずに使用できる二輪車新聞配達用帳面保持具とする。【００１１】  請求項２においては、前記する透明覆いシートの開閉側端部に、適度な重さの帯板を取り付けることで、受け皿体を覆った際に捲れにくくするものとする。【００１２】  請求項３においては、前記する透明覆いシートの帯板と受け皿体の縁板に、一組の面ファスナーを取り付けることで、台風のように強風が吹いても確りと係合するものとする。【００１３】  請求項４においては、前記する底板面に透明敷きシートを置き、該透明敷きシートの奥を底板に取り付けることで、配達時に便利なメモや地図などを挟んで捲らずに見られるものとする。
【発明の効果】
【００１４】  本発明による新聞配達用帳面保持具は、新聞配達時に用いる順路帳を収められる大きさと深さの受け皿体を形成し、その受け皿体の上面を十分に覆う大きさの透明覆いシートを開閉自在に取り付けた帳面保持具を形成するので、取り付け支持具によってバイクのハンドルバーに取り付けるとライト上部に緩衝材で安定位置するため速度メーターを見るにも支障なく、前かごに入れた新聞の出し入れにも邪魔にならず、かつ走行中でも順路帳を手に持たなくてもスピーディに配達を行えるとともに、交通安全にも寄与する器具となる。【００１５】  さらに、受け皿体を覆う透明覆いシートは柔軟にして開閉自在で、かつ端部には適度な重さの帯板を備えているので受け皿体側に掛け渡すと風で捲れない程度に覆うとともに、透明であるので雨の日は覆ったままでも順路帳の文字を読み易く、かつ強い風雨などの場合は透明覆いシートと縁板の面ファスナーを閉じ合わせると確りと係合するので、大切な順路帳を雨で濡らしたり、強風で飛ばして紛失する心配も無く配達を行える。【００１６】  加えて、第２実施形態に示すタイプは第１実施形態と同様であるが、透明覆いシートを備えた受け皿体の底板面に敷いた透明敷きシートの奥を底板に取り付けているので、配達時に必要なメモや地図、領収書などを挟み置けるとともに、透明であるから透明敷きシートを捲らなくても読み取れる。また受け皿体の四隅は少し開放しているので、例えば、雨水やゴミなどが溜まっても簡単に除去清掃できる機能的にして簡易に扱える、従来には見られないユニークな二輪車新聞配達用帳面保持具を提供する。
【図面の簡単な説明】
【００１７】
【図１】  本発明による配達用帳面保持具の第１実施形態を示す分解斜視図である。
【図２】  第１実施形態の配達用帳面保持具を示す一部を欠いた側面図である。
【図３】  第１実施形態の配達用帳面保持具の連結縁板部を示す拡大側面図である。
【図４】  第１実施形態の配達用帳面保持具の透明覆いシートの端部を示す拡大側面図である。
【図５】  第１実施形態の配達用帳面保持具の透明覆いシートを閉じた状態の斜視図である。
【図６】  第１実施形態の配達用帳面保持具を、バイクのハンドルバーに取り付けた使用状態を示す参考図である。
【図７】  本発明による配達用帳面保持具の第２実施形態を示す斜視図である。
【図８】  第２実施形態の配達用帳面保持具を、バイクに取り付けた使用状態を示す参考図である。
【発明を実施するための形態】
【００１８】  本発明による配達用帳面保持具を、図１に示す分解斜視図と図２に示す一部欠損した拡大側面図、図３の透明覆いシート部を示す拡大側面図、図４の透明覆いシート端部を示す拡大側面図、図５に示す配達用帳面保持具の斜視図及び図６に示す配達用帳面保持具をバイクに取り付けた使用状態参考図で説明する。
【００１９】  本発明による配達用帳面保持具１は、薄くても丈夫で錆びにくいステンレス等の金属素材とし、大きさ約３３０×１２０センチメートルほどの矩形状の底板２の手前側と左右端部の３辺を、高さ約２０ミリメートルほど上方に突設する縁板３，３，３を設けるとともに、残りの後方側１辺は少し外側に傾斜する連結縁板４を設けた浅い箱状を成す受け皿体５を形成する。尚、前記連結縁板４は、外側に少し傾斜する形が好ましいが、他の縁板３と同じ形でもよい。
【００２０】  次に、その受け皿体５の前記底板２面の中ほど左右部には、２個一組とするネジ穴６，６を設けるとともに、底板２の裏面手前側に適度な幅と高さのクッションやスポンジ等による緩衝材７を取り付ける。
【００２１】  以上のように形成して成る受け皿体５の前記連結縁板４には、受け皿体５の手前側及び左右端部より少し飛び出る大きさで成る矩形状の塩化ビニールシート等による透明覆いシート８の長辺側一方を、図３のように連結縁板４に折り返して後、複数箇所をネジとナット又はリべット、ハトメなどの留め具９，９で固定し、かつ、その透明覆いシート８の他方端部を、図４に示すように二枚の帯板１０，１０で挟んでから複数箇所を留め具９，９で取り付ける。
【００２２】  さらに、前記帯板１０の手前側と、それに対面する受け皿体５の縁板３の外側には、オスメス一組とする面ファスナー１１，１１を取り付けて成る受け皿体５を形成し、その受け皿体５を、バイクのハンドルバーにネジ１２とナット１３で取り付けるために、別体形成する二つの取り付け支持具１４，１４を組み合わせて成る配達用帳面保持具１を構成する。
【００２３】  第１実施形態による配達用帳面保持具１は、浅い箱状を成す受け皿体５の上面に開閉自在の透明覆いシート８を備え、下部には二輪車等に固定できる取り付け支持具１４設けた配達用帳面保持具１を形成するので、図６に示すようにバイクのハンドルバーＡの下部にあるネジ部に取り付けると、順路帳Ｃは安定して保持でき、かつ、その上面を図５のように柔軟性ある透明覆いシート８で覆うと、雨の日でも順路帳を濡らすことなく透明覆いシート８を透かして順路帳Ｃの文字は容易に読み取れる。
【００２４】  また透明覆いシート８端部には適度な重さの帯板１０を設けているので受け皿体５に被せ易く押さえ易い。また台風のように雨風が強い場合は、透明覆いシート８と受け皿体５のそれぞれに設けた面ファスナー１１，１１部を閉じ合わせると確りと閉じられるので、強風が吹いても捲れるのを防ぐ。さらに晴天の日は、前記する透明覆いシート８を前かごＢ側に捲って垂らしたり、時には巻き込んでクリップで連結縁板４に挟み留められる。加えて、受け皿体５の底板２裏面には緩衝材７を設けているので、バイクに取り付けた時に傷も付けないし安定保持できる。
【００２５】  本発明による配達用帳面保持具の第２実施形態を、図７に示す一部を剥がした斜視図と図８に示す使用状態参考図で説明する。
【００２６】  本発明による第２実施形態に示す配達用帳面保持具１の基本構成は、前記第１実施形態と同様であるが、その他にメモや地図などを合わせて保持できる透明敷きシート１５を備えたものである。その構成は第１実施形態と同様に、金属板材で成る矩形状の底板２の手前側と左右端部の３辺に縁板３，３，３を設け、かつ残りの１辺側には連結縁板４を設けた浅い箱状を成す受け皿体５を形成し、その受け皿体５の裏面手前側に適度な幅と高さの緩衝材７を取り付けた前記受け皿体５の底板２面に、その底板２より一回り小さい透明敷きシート１５を位置して後、奥の長辺側端部を前記底板２に複数個の留め具９，９を用いて取り付けて成る構成とする。
【００２７】  第２実施形態に示す配達用帳面保持具１は、前記第１実施形態と基本構成は同じでありるが、透明覆いシート８に加えて、底板２面より一回り小さい透明敷きシート１５を置き、その透明敷きシート１５の奥端部を複数箇の留め具９，９によって底板２に固定しているので、配達時に予備として必要なメモ類Ｄや地図などを弾性ある透明覆いシート１５の端を捲って挟み止められるとともに、透明であるので挟んだままでも文字や図は読み取れる。
【００２８】  本発明による配達用帳面保持具１における受け皿体５は、ステンレス等の金属素材が最も好ましいが、薄くても丈夫であれば鉄板やアルミ板素材の他に合成樹脂素材でも構わない。また透明覆いシート８と受け皿体５に設ける係合部材として面ファスナー１１，１１を採用しているが、これ以外に磁石や他の係止部材を用いてもよい。さらに受け皿体５の四隅は少し離しているが、通常の箱の様に接合してもよい。加えて、図示する取り付け支持具１４は、特定のメーカーのバイクに対応する形であるが、この形状は自転車を含めて二輪車いずれの車種に対応する形状であっても構わず、いずれも特に限定されるものではない。
【産業上の利用可能性】
【００２９】  本発明による配達用帳面保持具は新聞配達に対応するものであるが、受け皿体の形や大きさを変えることで、例えば、物品や書類を配達するバイク便用の地図や書類を収められる保持具としても使える。
【符号の説明】
【００３０】１  配達用帳面保持具
２  底板
３  縁板
４  連結縁板
５  受け皿体
７  緩衝材
８  透明覆いシート
１０  帯板
１１  面ファスナー
１４  取り付け支持具
１５  透明敷きシート
Ａ  ハンドルバー
Ｂ  前かご
Ｃ  順路帳
Ｄ  メモ類
【図１】
2011079507.tif 000003
【図２】
2011079507.tif 000004
【図３】
2011079507.tif 000005
【図４】
2011079507.tif 000006
【図５】
2011079507.tif 000007
【図６】
2011079507.tif 000008
【図７】
2011079507.tif 000009
【図８】
2011079507.tif 000010